(57)【特許請求の範囲】
【請求項１】
建築物の外壁面に沿って外壁面の外側に組み立てられる仮設足場の外側に張られて仮設足場に取り付けられる仮設足場用防護ネットにおいて、
防護ネットを形成する網が切断されて形成された開口部と、
開口部を開閉可能とする開閉手段とを備え、
前記開閉手段は、前記開口部よりも大きな面積を有し、前記開口部の周囲の網目と縫い付けられる一対のテープと、
前記一対のテープにおける互いに向かい合う側縁にそれぞれ取り付けられるエレメントと、
前記エレメント同士を開閉するスライダーとを備えることを特徴とする仮設足場用防護ネット。
【請求項２】
互いに独立した複数の開口部を備えたことを特徴とする請求項１に記載の仮設足場用防護ネット。  
【発明の詳細な説明】
【技術分野】
【０００１】
本発明は、仮設足場に取り付けられた仮設足場用防護ネット（以下、防護ネットという）が強風時に受ける風力を小さくできる防護ネットに関する。
【背景技術】
【０００２】
例えば、建物の外壁面を補修する場合のように、外壁面の外側に外壁面に沿って仮設足場を組み立てた場合において、仮設足場から地上の道路などに工具や建築部品が落下してしまうことを防止するために仮設足場の外側に防護ネットを張るようにしている。防護ネットは、例えば、取付具を用いて仮設足場に取り付けられたり、取付紐で仮設足場に縛り付けられることによって仮設足場に取り付けられる（例えば、特許文献１；２；３参照）。
【特許文献１】特開平０６−１２３１７５号公報
【特許文献２】特開平１０−８８８１５号公報
【特許文献３】特開２００２−７０３１６号公報
【発明の開示】
【発明が解決しようとする課題】
【０００３】
しかしながら、強風時、仮設足場に取り付けられた防護ネットが風を受けることによって、防護ネットを取り付けた仮設足場が風力で倒れてしまう問題点があった。
本発明は、上記課題に鑑みてなされたもので、強風時に防護ネットが受ける風力を小さくでき、防護ネットを取り付けた仮設足場の倒れを防止できる防護ネットを提供する。
【課題を解決するための手段】
【０００４】
本発明の防護ネットは、建築物の外壁面に沿って外壁面の外側に組み立てられる仮設足場の外側に張られて仮設足場に取り付けられる仮設足場用防護ネットにおいて、防護ネットを形成する網が切断されて形成された開口部と、開口部を開閉可能とする開閉手段とを備え、前記開閉手段は、前記開口部よりも大きな面積を有し、前記開口部の周囲の網目と縫い付けられる一対のテープと、前記一対のテープにおける互いに向かい合う側縁にそれぞれ取り付けられるエレメントと、前記エレメント同士を開閉するスライダーとを備えることを特徴とする。
また、互いに独立した複数の開口部を備えたことも特徴とする。  
【発明の効果】
【０００５】
本発明の防護ネットによれば、開口部と、開口部を開閉可能とする開閉手段とを備えたので、開閉手段により開口部を開くことにより、強風時に防護ネットが受ける風力を小さくでき、防護ネットを取り付けた仮設足場の倒れを防止できる。
互いに独立した複数の開口部を備えたことで、開口部による風の通過部を多くできるので、強風時に防護ネットが受ける風力をより小さくできる。
開閉手段をスライドファスナーにより形成したことで、スライダーを操作することで、開口部による風の通過部を簡単に形成できるので、急に風が強くなったような場合でも、即座に風の通過部を形成できて、仮設足場の倒れ防止対策を図れるようになる。
【発明を実施するための最良の形態】
【０００６】
最良の形態１
図１乃至図４は本発明の最良の形態１を示す。図１は防護ネットを示し、図２は防護ネットの開口部を開閉する部分の詳細を示し、図３は仮設足場に設置された防護ネットを示す側面から見て示し、図４は仮設足場に設置された防護ネットを示す正面から見て示す。
【０００７】
図３に示すように、防護ネット１は、建物２の外壁面３を補修する場合などにおいて建物２の外壁面３に沿って外壁面３の外側に組み立てられる仮設足場４の外側に張られて仮設足場４に取り付けられるものである。
仮設足場４は、足場板５と足場板５を支持する支持脚６とにより構成された単位足場４Ａを上下左右に連続して繋げて形成される。
【０００８】
防護ネット１は、図２に示すように、縦糸９ａ及び横糸９ｂによってメッシュ状に編まれた網１０により形成されたものであり、図１に示すように、例えば、長方形に形成される。防護ネット１の長方形の外周部には、所定間隔毎に紐取付孔１１が形成される。
【０００９】
図４に示すように、複数の防護ネット１が仮設足場４の外側に縦横に並べて張られ、防護ネット４の左右の縁部は、紐取付孔１１に取り付けられた紐１２を仮設足場４の支持脚６に縛り付けることで、防護ネット１と支持脚６とが紐１２によって連結される。上下に配置される上の防護ネット１の下縁部１３の紐取付孔１１と下の防護ネット１の上縁部１４の紐取付孔１１とが紐１２により連結される。
【００１０】
図１；２に示すように、防護ネット１は、防護ネット１を形成する網１０が切断されて形成された開口部２１と、開口部２１を開閉可能とする開閉手段としてのスライドファスナー３１とを備える。
【００１１】
開口部２１は、防護ネット１の中央部に所定長さに渡って延長するように設けられたり、防護ネット１の中央部と外周端とに跨って延長するように設けられる。
【００１２】
図２を参照し、スライドファスナー３１及び開口部２１の詳細を説明する。スライドファスナー３１は、スライダー３２と一対のエレメント（務歯）３３ａ；３３ｂと一対のテープ３４ａ；３４ｂとにより構成される。スライダー３２は、胴体３５と柱３６と引手３７とを備える。エレメント３３ａは、２本のテープ３４ａ；３４ｂの互いに隣り合う側縁３４ｃ；３４ｃのうちの一方に取り付けられ、エレメント３３ｂは互いに隣り合う側縁３４ｃ；３４ｃのうちの他方に取り付けられる。エレメント３３ａ；３３ｂの始端と終端とにはそれぞれ止体３８；３９が設けられる。エレメント３３ａ；３３ｂに係合されたスライダー３２の胴体３５がエレメント３３ａ；３３ｂに沿って一方向及び一方向とは逆の方向に滑走することにより、エレメント３３ａ；３３ｂが互いに閉じたり、エレメント３３ａ；３３ｂが互いに離れる（開く）。例えば、開口部２１の相対向する切口周縁２２の近辺の網目２３とスライドファスナー３１のテープ３４ａ；３４ｂとが縫い糸２４で縫い付けられることでスライドファスナー３１が開口部２１に取り付けられる。よって、スライダー３を操作することでエレメント３３ａ；３３ｂを開閉できるので、開口部２１をスライドファスナー３１によって開閉できる。
【００１３】
最良の形態１の防護ネット１によれば、複数の防護ネット１が仮設足場４の外側において上下左右に並ぶように張られて、仮設足場４に取り付けられた状態において、風の弱い時には、スライドファスナー３１のエレメント３３ａ；３３ｂを閉じて開口部２１を閉じておくことで、作業の際の物の落下を防止できる。そして、風の強い時には、スライドファスナー３１のエレメント３３ａ；３３ｂを開いて開口部２１を開放しておくことで、風が開口部２１を通過するので、防護ネット１の受ける風力が小さくなり、防護ネット１を取り付けた仮設足場４が倒れるようなことを防止できる。即ち、スライドファスナー３１のスライダー３２を操作することで、風の通過部を簡単に形成できるので、急に風が強くなったような場合でも、即座に風の通過部を形成できて、仮設足場４の倒れ防止対策を図れるようになる。
【００１４】
最良の形態２
互いに独立した複数の開口部２１を設けて、この複数の開口部２１毎に開口部２１を開閉するスライドファスナー３１を設ければ、風の通過部の数を多くでき、防護ネット１の受ける風力をより小さくできて好ましい。
【産業上の利用可能性】
【００１５】
１つの防護ネット１に設ける開口部２１の形状はどのような形状であってもよい。例えば、円形状、コ字状などでもよい。
また、スライドファスナー３１以外の開閉手段を用いてもよい。例えば、ボタンや係合フックのような開閉手段を用いて開口部２１を開閉可能に構成してもよい。
【図面の簡単な説明】
【００１６】
【図１】防護ネットを示す正面図（最良の形態１）。
【図２】防護ネットの開口部を開閉する部分の詳細図（最良の形態１）。
【図３】仮設足場に設置された防護ネットを示す側面図（最良の形態１）。
【図４】仮設足場に設置された防護ネットを示す正面図（最良の形態１）。
【符号の説明】
【００１７】
１  防護ネット、２  建物、３  外壁面、４  仮設足場、２１  開口部、
３１  スライドファスナー（開閉手段）。
【図１】
0004550088.tif 000002
【図２】
0004550088.tif 000003
【図３】
0004550088.tif 000004
【図４】
0004550088.tif 000005